(57)【要約】【課題】再複製を容易に禁止する。【解決手段】マイクロプロセッサ１１は、カムコーダ３に配設されたＶＣＲ３００から映像情報を取得して、ＤＶＤ−ＲＡＭ１００に格納する旨のユーザからの操作入力を、受け付ける操作受付部１１１と、ＤＶＤ−ＲＡＭ１００に格納する旨の操作入力が受け付けられた場合に、ＶＣＲ３００から映像情報を取得する映像取得部１１２と、ＤＶＤ−ＲＡＭ１００に格納する旨の操作入力が受け付けられた場合に、ユーザからの操作入力に基づいて、アナログ映像信号にコピーを禁止する旨の信号であるコピー禁止信号を付与するか否かの設定を行う禁止設定部１１３と、コピー禁止信号を付与すると設定された場合に、映像取得部１１２によって取得された映像情報に対応するアナログ映像信号に、コピー禁止信号を付与してＤＶＤ−ＲＡＭ１００に記録する書込部１１４と、を備えている。【選択図】図４
2008210475.tif 000002
【特許請求の範囲】
【請求項１】
予めＶＣＲに映像情報が格納されたカムコーダ及びモニタと通信可能に接続されると共に、映像情報を記録可能なＤＶＤを備えるＤＶＤレコーダであって、
前記ＶＣＲから前記映像情報を取得して、前記ＤＶＤに格納する旨の外部からの操作入力を受け付ける操作受付手段と、
前記ＤＶＤに格納する旨の操作入力が受け付けられた場合に、前記ＶＣＲから前記映像情報を取得する映像取得手段と、
前記ＤＶＤに格納する旨の操作入力が受け付けられた場合に、外部からの操作入力を受け付けて、受け付けられた操作入力に基づいて、アナログ映像信号にコピーを禁止する旨の信号であるマクロビジョン（ｍａｃｒｏｖｉｓｉｏｎ）信号を付与するか否かの設定を行う禁止設定手段と、
前記禁止設定手段によって、マクロビジョン信号を付与すると設定された場合に、前記映像取得手段によって取得された映像情報に対応するアナログ映像信号に、マクロビジョン信号を付与して前記ＤＶＤに記録する書込手段と、
を備え、
前記禁止設定手段は、モニタにマクロビジョン信号を付与するか否かの設定を行う禁止設定画面を表示し、該禁止設定画面を介してマクロビジョン信号を付与するか否かの設定を行うことを特徴とするＤＶＤレコーダ。
【請求項２】
予め第１記録媒体に映像情報が格納された映像記憶装置と通信可能に接続されると共に、映像情報を記録可能な第２記録媒体を備える映像記録装置であって、
前記第１記録媒体から前記映像情報を取得して、前記第２記録媒体に格納する旨の外部からの操作入力を受け付ける操作受付手段と、
前記第２記録媒体に格納する旨の操作入力が受け付けられた場合に、前記第１記録媒体から前記映像情報を取得する映像取得手段と、
前記第２記録媒体に格納する旨の操作入力が受け付けられた場合に、外部からの操作入力を受け付けて、受け付けられた操作入力に基づいて、アナログ映像信号にコピーを禁止する旨の信号であるコピー禁止信号を付与するか否かの設定を行う禁止設定手段と、
前記禁止設定手段によって、コピー禁止信号を付与すると設定された場合に、前記映像取得手段によって取得された映像情報に対応するアナログ映像信号に、コピー禁止信号を付与して前記第２記録媒体に記録する書込手段と、
を備えることを特徴とする映像記録装置。
【請求項３】
予め映像情報が格納された第１記録媒体と、映像情報を記録可能な第２記録媒体と、を備える映像記録装置であって、
前記第１記録媒体から前記映像情報を取得して、前記第２記録媒体に格納する旨の外部からの操作入力を受け付ける操作受付手段と、
前記第２記録媒体に格納する旨の操作入力が受け付けられた場合に、前記第１記録媒体から前記映像情報を取得する映像取得手段と、
前記第２記録媒体に格納する旨の操作入力が受け付けられた場合に、外部からの操作入力を受け付けて、受け付けられた操作入力に基づいて、アナログ映像信号にコピーを禁止する旨の信号であるコピー禁止信号を付与するか否かの設定を行う禁止設定手段と、
前記禁止設定手段によって、コピー禁止信号を付与すると設定された場合に、前記映像取得手段によって取得された映像情報に対応するアナログ映像信号に、コピー禁止信号を付与して前記第２記録媒体に記録する書込手段と、
を備えることを特徴とする映像記録装置。
【請求項４】
モニタと通信可能に接続され、
前記禁止設定手段は、モニタにコピー禁止信号を付与するか否かの設定を行う禁止設定画面を表示し、該禁止設定画面を介してコピー禁止信号を付与するか否かの設定を行うことを特徴とする請求項２又は請求項３に記載の映像記録装置。
【請求項５】
前記コピー禁止信号は、マクロビジョン（ｍａｃｒｏｖｉｓｉｏｎ）信号であることを特徴とする請求項２〜請求項４のいずれかに記載の映像記録装置。
【請求項６】
前記コピー禁止信号は、ＣＧＭＳ−Ａ（Ｃｏｐｙ  Ｇｅｎｅｒａｔｉｏｎ  Ｍａｎａｇｅｍｅｎｔ  Ｓｙｓｔｅｍ−Ａｎａｌｏｇ）に準拠した信号であることを特徴とする請求項２〜請求項４のいずれかに記載の映像記録装置。
【発明の詳細な説明】
【技術分野】
【０００１】
本発明は、予め第１記録媒体に映像情報が格納された映像記憶装置と通信可能に接続されると共に、映像情報を記録可能な第２記録媒体を備える映像記録装置に関する。特に、予めＶＣＲに映像情報が格納されたカムコーダ及びモニタと通信可能に接続されると共に、映像情報を記録可能なＤＶＤを備えるＤＶＤレコーダに関する。
【背景技術】
【０００２】
近年、種々の記録媒体及び種々の記録媒体に映像情報等を記録する記録装置が開発され、実用化されている。しかしながら、記録媒体は、それぞれ記録方式が異なるため互換性を図ることが難しく、それぞれの記録装置を使用する必要があり作業が煩雑となる場合があった。そこで、家庭用として一般的に用いられてきたＶＣＲ（Ｖｉｄｅｏ  Ｃａｓｅｔｔｅ  Ｒｅｃｏｒｄｅｒ）等に記録した映像情報等を、別の記録媒体例えばＤＶＤ（Ｄｉｇｉｔａｌ  Ｖｅｒｓａｔｉｌｅ  Ｄｉｓｋ）等に記録するダビング機能を有する種々の記録装置が提案されている。
【０００３】
例えば、１個のスイッチでＨＤＤ、ＤＶＤ及びＶＣＲ間での双方向の転送を可能とし、簡易な構成でダビングを実現することができる情報記録装置が提案されている（特許文献１参照）。
【特許文献１】特開２００６−２０２３８１号公報
【発明の開示】
【発明が解決しようとする課題】
【０００４】
しかしながら、上記情報記録装置等の従来の映像記録装置では、ダビングされて生成されたＤＶＤ、ＶＣＲ等の記録媒体を、更に、別の記録媒体にダビングすることが容易に可能であるため、映像記録装置による再複製（＝一旦、映像記録装置によりダビングされて生成されたＤＶＤ、ＶＣＲ等の記録媒体を、更に、映像記録装置により別の記録媒体にダビングすること）を禁止することが困難であった。すなわち、例えば、ユーザが再複製を禁止することを所望する映像情報（例えば、個人情報が記録された映像情報等）をダビングする場合であっても、ユーザの要求を満たすダビングを行うことが困難であった。
【０００５】
上記の課題に鑑みて、本発明は、再複製を容易に禁止することの可能な映像記録装置及びＤＶＤレコーダを提供することを目的としている。
【課題を解決するための手段】
【０００６】
上記目的を達成するために請求項１に記載のＤＶＤレコーダは、予めＶＣＲに映像情報が格納されたカムコーダ及びモニタと通信可能に接続されると共に、映像情報を記録可能なＤＶＤを備えるＤＶＤレコーダであって、前記ＶＣＲから前記映像情報を取得して、前記ＤＶＤに格納する旨の外部からの操作入力を受け付ける操作受付手段と、前記ＤＶＤに格納する旨の操作入力が受け付けられた場合に、前記ＶＣＲから前記映像情報を取得する映像取得手段と、前記ＤＶＤに格納する旨の操作入力が受け付けられた場合に、外部からの操作入力を受け付けて、受け付けられた操作入力に基づいて、アナログ映像信号にコピーを禁止する旨の信号であるマクロビジョン（ｍａｃｒｏｖｉｓｉｏｎ）信号を付与するか否かの設定を行う禁止設定手段と、前記禁止設定手段によって、マクロビジョン信号を付与すると設定された場合に、前記映像取得手段によって取得された映像情報に対応するアナログ映像信号に、マクロビジョン信号を付与して前記ＤＶＤに記録する書込手段と、を備え、前記禁止設定手段が、モニタにマクロビジョン信号を付与するか否かの設定を行う禁止設定画面を表示し、該禁止設定画面を介してマクロビジョン信号を付与するか否かの設定を行うことを特徴としている。
【０００７】
請求項２に記載の映像記録装置は、予め第１記録媒体に映像情報が格納された映像記憶装置と通信可能に接続されると共に、映像情報を記録可能な第２記録媒体を備える映像記録装置であって、前記第１記録媒体から前記映像情報を取得して、前記第２記録媒体に格納する旨の外部からの操作入力を受け付ける操作受付手段と、前記第２記録媒体に格納する旨の操作入力が受け付けられた場合に、前記第１記録媒体から前記映像情報を取得する映像取得手段と、前記第２記録媒体に格納する旨の操作入力が受け付けられた場合に、外部からの操作入力を受け付けて、受け付けられた操作入力に基づいて、アナログ映像信号にコピーを禁止する旨の信号であるコピー禁止信号を付与するか否かの設定を行う禁止設定手段と、前記禁止設定手段によって、コピー禁止信号を付与すると設定された場合に、前記映像取得手段によって取得された映像情報に対応するアナログ映像信号に、コピー禁止信号を付与して前記第２記録媒体に記録する書込手段と、を備えることを特徴としている。
【０００８】
請求項３に記載の映像記録装置は、予め映像情報が格納された第１記録媒体と、映像情報を記録可能な第２記録媒体と、を備える映像記録装置であって、前記第１記録媒体から前記映像情報を取得して、前記第２記録媒体に格納する旨の外部からの操作入力を受け付ける操作受付手段と、前記第２記録媒体に格納する旨の操作入力が受け付けられた場合に、前記第１記録媒体から前記映像情報を取得する映像取得手段と、前記第２記録媒体に格納する旨の操作入力が受け付けられた場合に、外部からの操作入力を受け付けて、受け付けられた操作入力に基づいて、アナログ映像信号にコピーを禁止する旨の信号であるコピー禁止信号を付与するか否かの設定を行う禁止設定手段と、前記禁止設定手段によって、コピー禁止信号を付与すると設定された場合に、前記映像取得手段によって取得された映像情報に対応するアナログ映像信号に、コピー禁止信号を付与して前記第２記録媒体に記録する書込手段と、を備えることを特徴としている。
【０００９】
請求項４に記載の映像記録装置は、請求項２又は請求項３に記載の映像記録装置であって、モニタと通信可能に接続され、前記禁止設定手段が、モニタにコピー禁止信号を付与するか否かの設定を行う禁止設定画面を表示し、該禁止設定画面を介してコピー禁止信号を付与するか否かの設定を行うことを特徴としている。
【００１０】
請求項５に記載の映像記録装置は、請求項２〜請求項４のいずれかに記載の映像記録装置であって、前記コピー禁止信号が、マクロビジョン（ｍａｃｒｏｖｉｓｉｏｎ）信号であることを特徴としている。
【００１１】
請求項６に記載の映像記録装置は、請求項２〜請求項４のいずれかに記載の映像記録装置であって、前記コピー禁止信号が、ＣＧＭＳ−Ａ（Ｃｏｐｙ  Ｇｅｎｅｒａｔｉｏｎ  Ｍａｎａｇｅｍｅｎｔ  Ｓｙｓｔｅｍ−Ａｎａｌｏｇ）に準拠した信号であることを特徴としている。
【発明の効果】
【００１２】
請求項１に記載のＤＶＤレコーダによれば、通信可能に接続されたカムコーダのＶＣＲに予め映像情報が格納されており、ＶＣＲから映像情報を取得してＤＶＤに格納する旨の外部からの操作入力が受け付けられる。そして、ＤＶＤに格納する旨の操作入力が受け付けられた場合に、カムコーダのＶＣＲから映像情報が取得されると共に、外部からの操作入力が受け付けられて、受け付けられた操作入力に基づいて、アナログ映像信号にコピーを禁止する旨の信号であるコピー禁止信号としてマクロビジョン信号を付与するか否かの設定が行われる。更に、マクロビジョン信号を付与すると設定された場合に、取得された映像情報に対応するアナログ映像信号に、マクロビジョン信号が付与されてＤＶＤに記録されるため、再複製を容易に禁止することができる。
【００１３】
すなわち、ユーザが再複製を禁止することを所望する場合には、アナログ映像信号にコピーを禁止する旨の信号であるマクロビジョン信号を付与すると設定することによって、通信可能に接続されたカムコーダのＶＣＲから取得された映像情報に対応するアナログ映像信号に、マクロビジョン信号が付与されてＤＶＤに記録されるため、再複製を容易に禁止することができるのである。
【００１４】
また、モニタにマクロビジョン信号を付与するか否かの設定を行う禁止設定画面が表示され、禁止設定画面を介してマクロビジョン信号を付与するか否かの設定が行われるため、再複製を更に容易に禁止することができる。
【００１５】
更に、コピー禁止信号がマクロビジョン信号であるため、簡素な構成で再複製を確実に禁止することができる。
【００１６】
請求項２に記載の映像記録装置によれば、通信可能に接続された映像記憶装置の第１記録媒体に予め映像情報が格納されており、第１記録媒体から映像情報を取得して第２記録媒体に格納する旨の外部からの操作入力が受け付けられる。そして、第２記録媒体に格納する旨の操作入力が受け付けられた場合に、第１記録媒体から映像情報が取得されると共に、外部からの操作入力が受け付けられて、受け付けられた操作入力に基づいて、アナログ映像信号にコピーを禁止する旨の信号であるコピー禁止信号を付与するか否かの設定が行われる。更に、コピー禁止信号を付与すると設定された場合に、取得された映像情報に対応するアナログ映像信号に、コピー禁止信号が付与されて第２記録媒体に記録されるため、再複製を容易に禁止することができる。
【００１７】
すなわち、ユーザが再複製を禁止することを所望する場合には、アナログ映像信号にコピーを禁止する旨の信号であるコピー禁止信号を付与すると設定することによって、通信可能に接続された映像記録装置の第１記録媒体から取得された映像情報に対応するアナログ映像信号に、コピー禁止信号が付与されて第２記録媒体に記録されるため、再複製を容易に禁止することができるのである。
【００１８】
請求項３に記載の映像記録装置によれば、第１記録媒体に予め映像情報が格納されており、第１記録媒体から映像情報を取得して第２記録媒体に格納する旨の外部からの操作入力が受け付けられる。そして、第２記録媒体に格納する旨の操作入力が受け付けられた場合に、第１記録媒体から映像情報が取得されると共に、外部からの操作入力が受け付けられて、受け付けられた操作入力に基づいて、アナログ映像信号にコピーを禁止する旨の信号であるコピー禁止信号を付与するか否かの設定が行われる。更に、コピー禁止信号を付与すると設定された場合に、取得された映像情報に対応するアナログ映像信号に、コピー禁止信号が付与されて第２記録媒体に記録されるため、再複製を容易に禁止することができる。
【００１９】
すなわち、ユーザが再複製を禁止することを所望する場合には、アナログ映像信号にコピーを禁止する旨の信号であるコピー禁止信号を付与すると設定することによって、第１記録媒体から取得された映像情報に対応するアナログ映像信号に、コピー禁止信号が付与されて第２記録媒体に記録されるため、再複製を容易に禁止することができるのである。
【００２０】
請求項４に記載の映像記録装置によれば、モニタにコピー禁止信号を付与するか否かの設定を行う禁止設定画面が表示され、禁止設定画面を介してコピー禁止信号を付与するか否かの設定が行われるため、再複製を更に容易に禁止することができる。
【００２１】
請求項５に記載の映像記録装置によれば、コピー禁止信号がマクロビジョン信号であるため、簡素な構成で再複製を確実に禁止することができる。
【００２２】
請求項６に記載の映像記録装置によれば、コピー禁止信号がＣＧＭＳ−Ａに準拠した信号であるため、簡素な構成で再複製を確実に禁止することができる。
【発明を実施するための最良の形態】
【００２３】
以下に本発明の実施形態を、図面を参照しながら説明する。図１は、本発明に係るＤＶＤレコーダの接続状態を示す構成図である。ＤＶＤレコーダ１（映像記録装置に相当する）は、リモコン２と赤外線信号を介して通信可能に接続され、カムコーダ３及びディスプレイ４とケーブルを介して通信可能に接続されている。
【００２４】
リモコン２（操作受付手段の一部、禁止設定手段の一部に相当する）は、種々のキーを備え、ユーザからの操作入力を受け付けて、操作入力に対応する赤外線信号を生成して、ＤＶＤレコーダ１に対して出力するものである。
【００２５】
カムコーダ３（映像記憶装置に相当する）は、映像情報を格納するＶＣＲを備え、ＤＶＤレコーダ１からケーブルを介して入力されたコマンド情報に基づいて、種々の処理（例えば、格納された映像情報を、ケーブルを介してＤＶＤレコーダ１に出力する処理等）を行うものである。
【００２６】
ディスプレイ４（モニタに相当する）は、ＬＣＤ（Ｌｉｑｕｉｄ  Ｃｒｙｓｔａｌ  Ｄｉｓｐｌａｙ）等を備え、外部から視認可能に種々の情報を表示するものである。
【００２７】
図２は、ＤＶＤレコーダ１の構成の一例を示すブロック図である。ＤＶＤレコーダ１は、マイクロプロセッサ１１、光ピックアップ１２、ＲＦ回路１３、外部インターフェイス１４、インターフェイス１５、表示部１６、メモリ１７、赤外線信号受信部１８、及び、ＶＣＲ駆動部１９を備えている。
【００２８】
マイクロプロセッサ１１は、ＤＶＤレコーダ１全体の動作を制御するものであって、例えば、リモコン２からの操作信号を、赤外線信号受信部１８を介して受信して、受信された操作信号に対応するコマンド情報を生成してカムコーダ３に対してケーブルを介して送信するものである。
【００２９】
光ピックアップ１２は、ＤＶＤ−ＲＡＭ１００（第２記録媒体に相当する）に対してレーザビームを照射してデータの書き込み（ＲＥＣ＝記録）及び読み出し（ＰＬＡＹ＝再生）を行うものである。ＲＦ回路１３は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。インターフェイス１５は、ケーブルを介してカムコーダ３及びディスプレイ４との間で映像情報、コマンド情報等の種々の情報送受信を行うものである。
【００３０】
表示部１６は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ１７は、映像情報、音声情報、制御情報等の種々の情報を格納するものである。赤外線信号受信部１８は、リモコン２から送信された赤外線信号を受信するものである。ＶＣＲ駆動部１９は、ＶＣＲ（Ｖｉｄｅｏ  Ｃａｓｅｔｔｅ  Ｒｅｃｏｒｄｅｒ）２００に対してデータの書き込み（ＲＥＣ＝記録）及び読み出し（ＰＬＡＹ＝再生）を行わせるものである。
【００３１】
図３は、カムコーダ３の構成の一例を示すブロック図である。カムコーダ３は、ＶＴＲ一体型のＤＶカメラであって、ＣＣＤ３１、画像メモリ３２、マイクロプロセッサ３３、フォーマット変換部３４、ＶＣＲ駆動部３５、インターフェイス３６、表示部３７、及び、操作部３８を備えている。
【００３２】
ＣＣＤ（Ｃｈａｒｇｅ  Ｃｏｕｐｌｅｄ  Ｄｅｖｉｃｅ）３１は、撮像対象の被写体像をアナログ信号の形で出力するものである。画像メモリ３２は、ＣＣＤ３１から入力された画像データを一時的に蓄積するものである。
【００３３】
マイクロプロセッサ３３は、画像メモリ３２に蓄積された画像データに対して種々の画像処理を施すと共に、ＤＶＤレコーダ１からケーブルを介して受け付けられた指示情報に従って、カムコーダ３全体の動作を制御するものである。フォーマット変換部３４は、マイクロプロセッサ３３による画像処理後の画像データをＶＣＲ３００に格納する映像情報にフォーマット変換を行うものである。ＶＣＲ駆動部３５は、フォーマット変換部３４から出力された映像情報をＶＣＲ３００（第１記録媒体に相当する）へ書き込むと共に、ＶＣＲ３００に記録された映像情報の再生等を行うものである。
【００３４】
インターフェイス３６は、ＤＶＤレコーダ１からコマンド情報等のデータを受信すると共に、ＶＣＲ３００に格納された映像情報等のデータをＤＶＤレコーダ１へ送信するものである。表示部３７は、ＬＣＤ等からなり、ＶＣＲ駆動部３５によって再生されるＶＣＲ３００に格納された映像情報を画像として外部から視認可能に表示するものである。操作部３８は、外部からの操作入力を受け付けてマイクロプロセッサ３３に出力するものである。
【００３５】
図４は、本発明における主要部の機能構成の一例を示すブロック図である。図１に示すマイクロプロセッサ１１は、機能的に、操作受付部１１１、映像取得部１１２、禁止設定部１１３、及び、書込部１１４を備えている。
【００３６】
ここでは、マイクロプロセッサ１１が、図略のＲＯＭ（Ｒｅａｄ  Ｏｎｌｙ  Ｍｅｍｏｒｙ）等に予め格納されたプログラムを読み出して実行することにより、操作受付部１１１、映像取得部１１２、禁止設定部１１３、書込部１１４等の機能部として機能するものである。
【００３７】
また、図２に示すメモリ１７又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３８】
操作受付部１１１（操作受付手段の一部に相当する）は、図３に示すカムコーダ３に配設されたＶＣＲ３００から映像情報を取得して、ＤＶＤ−ＲＡＭ１００又はＶＣＲ２００に格納する旨のユーザからの操作入力を、リモコン２を介して受け付けるものである。また、操作受付部１１１は、ＤＶＤ−ＲＡＭ１００（又はＶＣＲ２００）から映像情報を取得して、ＶＣＲ２００（又はＤＶＤ−ＲＡＭ１００）に格納する旨のユーザからの操作入力を、リモコン２を介して受け付けるものである。
【００３９】
すなわち、操作受付部１１１は、ディスプレイ４に後述するダビング選択画面（図６（ａ）参照）を表示して、ＶＣＲ３００、ＤＶＤ−ＲＡＭ１００及びＶＣＲ２００の中から、リモコン２を介して、１のダビング元（＝格納された映像情報が読み出される記録媒体）の指定を受け付けると共に、ＤＶＤ−ＲＡＭ１００及びＶＣＲ２００の中から、１のダビング先（＝映像情報が書き込まれる記録媒体）の指定を受け付けるものである。
【００４０】
映像取得部１１２（映像取得手段の一部に相当する）は、ＤＶＤ−ＲＡＭ１００又はＶＣＲ２００に格納する旨の操作入力が受け付けられた場合に、ＶＣＲ、ＤＶＤ−ＲＡＭ１００又はＶＣＲ２００から映像情報を取得するものである。すなわち、映像取得部１１２は、操作受付部１１１によってダビング元に指定された記録媒体（＝ＶＣＲ３００、ＤＶＤ−ＲＡＭ１００及びＶＣＲ２００のいずれか１）から映像情報を取得するものである。
【００４１】
禁止設定部１１３（禁止設定手段の一部に相当する）は、ＤＶＤ−ＲＡＭ１００又はＶＣＲ２００に格納する旨の操作入力が受け付けられた場合に、ディスプレイ４に後述するコピー禁止設定画面（図６（ｂ）参照）を表示して、リモコン２を介して、ユーザからの操作入力を受け付けて、受け付けられた操作入力に基づいて、アナログ映像信号にコピーを禁止する旨の信号であるコピー禁止信号としてマクロビジョン信号を付与するか否かの設定を行うものである。
【００４２】
書込部１１４（書込手段に相当する）は、禁止設定部１１３によって、マクロビジョン信号を付与すると設定された場合に、映像取得部１１２によって取得された映像情報に対応するアナログ映像信号に、マクロビジョン信号を付与して操作受付部１１１によってダビング先に指定された記録媒体（＝ＤＶＤ−ＲＡＭ１００又はＶＣＲ２００）に記録するものである。
【００４３】
図５、マイクロプロセッサ１１の動作の一例を示すフローチャートである。まず、操作受付部１１１によって、ダビングをする旨の操作入力が受け付けられたか否かの判定が行われる（Ｓ１０１）。ダビングをする旨の操作入力が受け付けられていないと判定された場合（Ｓ１０１でＮＯ）には、処理が待機状態とされる。ダビングをする旨の操作入力が受け付けられたと判定された場合（Ｓ１０１でＹＥＳ）には、操作受付部１１１によって、ディスプレイ４に後述するダビング選択画面（図６（ａ）参照）が表示されて、ダビング元の指定が受け付けられる（Ｓ１０３）。そして、操作受付部１１１によって、ダビング先の指定が受け付けられる（Ｓ１０５）。
【００４４】
次に、禁止設定部１１３によって、ディスプレイ４に後述するコピー禁止設定画面（図６（ｂ）参照）が表示されて、コピーを禁止するか否かの設定が行われる（Ｓ１０７）。そして、書込部１１４によって、コピーを禁止すると設定されているか否かの判定が行われる（Ｓ１０９）。コピーを禁止すると設定されていると判定された場合（Ｓ１０９でＹＥＳ）には、映像取得部１１２によって、ステップＳ１０３において指定されたダビング元から映像情報が取得される（Ｓ１１１）。そして、書込部１１４によって、ステップＳ１１１において取得された映像情報に対応するアナログ映像信号に、マクロビジョン信号が付与される（Ｓ１１３）。次に、書込部１１４によって、ステップＳ１０５において指定されたダビング先に、ステップＳ１１３でマクロビジョン信号が付与された映像情報が書き込まれ（Ｓ１１５）、処理が終了される。
【００４５】
ステップＳ１０９でＮＯの場合には、映像取得部１１２によって、ステップＳ１０３において指定されたダビング元から映像情報が取得される（Ｓ１１７）。そして、書込部１１４によって、ステップＳ１０５において指定されたダビング先に、ステップＳ１１７取得された映像情報が書き込まれ（Ｓ１１９）、処理が終了される。
【００４６】
図６は、図５に示すフローチャートのステップＳ１０３においてディスプレイ４に表示されるダビング選択画面及びステップＳ１０７においてディスプレイ４に表示されるコピー禁止設定画面の一例を示す画面図である。（ａ）は、図５に示すフローチャートのステップＳ１０３においてディスプレイ４に表示されるダビング選択画面５００であり、（ｂ）は、図５に示すフローチャートのステップＳ１０７においてディスプレイ４に表示されるコピー禁止設定画面５１０である。
【００４７】
（ａ）に示すように、ダビング選択画面５００には、ダビング元を選択可能に表示するダビング元表示部５０２と、ダビング先を選択可能に表示するダビング先表示部５０１と、が表示されている。ダビング元表示部５０２には、ＶＣＲ３００（画面では、外部ＶＣＲと表示されている）、ＤＶＤ−ＲＡＭ１００及びＶＣＲ２００の内、いずれか１の記録媒体が選択可能に表示されている。ダビング先表示部５０１には、ＤＶＤ−ＲＡＭ１００及びＶＣＲ２００の内、いずれか１の記録媒体が選択可能に表示されている。
【００４８】
（ｂ）に示すように、コピー禁止設定画面５１０（禁止設定画面に相当する）には、画面略中央部に、ガイダンス表示部５１１が表示され、ガイダンス表示部５１１の下側に、ＹＥＳボタン５１２、ＮＯボタン５１３が表示されている。ガイダンス表示部５１１は、コピーを禁止する旨の信号であるコピー禁止信号（ここでは、マクロビジョン信号）を付与するか否かの選択入力を促す旨の文字情報（ここでは、「作成されたＤＶＤ（ＶＣＲ）の複製を禁止させますか？」）を表示するものである。ＹＥＳボタン５１２は、コピーを禁止する旨の信号であるコピー禁止信号（ここでは、マクロビジョン信号）を付与する場合に選択されるボタンである。ＮＯボタン５１３は、コピーを禁止する旨の信号であるコピー禁止信号（ここでは、マクロビジョン信号）を付与しない場合に選択されるボタンである。
【００４９】
このようにして、通信可能に接続されたカムコーダ３のＶＣＲ３００に予め映像情報が格納されており、ＶＣＲ３００から映像情報を取得してＤＶＤ−ＲＡＭ１００に格納する旨のユーザからの操作入力が、リモコン２を介して受け付けられる。そして、ＤＶＤ−ＲＡＭ１００に格納する旨の操作入力が受け付けられた場合に、カムコーダ３のＶＣＲ３００から映像情報が取得されると共に、リモコン２を介して、ユーザからの操作入力が受け付けられて、受け付けられた操作入力に基づいて、アナログ映像信号にコピーを禁止する旨の信号であるコピー禁止信号としてマクロビジョン信号を付与するか否かの設定が行われる。更に、マクロビジョン信号を付与すると設定された場合に、取得された映像情報に対応するアナログ映像信号に、マクロビジョン信号が付与されてＤＶＤ−ＲＡＭ１００に記録されるため、再複製を容易に禁止することができる。
【００５０】
すなわち、ユーザが再複製を禁止することを所望する場合には、アナログ映像信号にコピーを禁止する旨の信号であるマクロビジョン信号を付与すると設定することによって、通信可能に接続されたカムコーダ３のＶＣＲ３００から取得された映像情報に対応するアナログ映像信号に、マクロビジョン信号が付与されてＤＶＤ−ＲＡＭ１００に記録されるため、再複製を容易に禁止することができるのである。
【００５１】
また、ディスプレイ４にマクロビジョン信号を付与するか否かの設定を行うコピー禁止設定画面５１０（図６（ｂ）参照）が表示され、コピー禁止設定画面５１０を介してマクロビジョン信号を付与するか否かの設定が行われるため、再複製を更に容易に禁止することができる。
【００５２】
更に、コピー禁止信号がマクロビジョン信号であるため、簡素な構成で再複製を確実に禁止することができる。
【００５３】
なお、本発明は、以下の形態にも適用可能である。
（Ａ）本実施形態では、映像記録装置がＤＶＤレコーダ１である場合について説明したが、映像情報が格納されたカムコーダ３等の映像記憶装置と通信可能に接続され、映像情報をＤＶＤ−ＲＡＭ１００等の記録媒体に格納する装置であればよい。例えば、映像記録装置が、ビデオテープレコーダ、ＨＤＤレコーダである形態でもよい。
【００５４】
（Ｂ）本実施形態では、映像記録装置がカムコーダ３と通信可能に接続されたＤＶＤレコーダ１である場合について説明したが、映像情報が格納された記録媒体（例えば、ＶＣＲ２００等）を備え、映像情報をＤＶＤ−ＲＡＭ１００等の記録媒体に格納する（ＶＣＲ２００からＤＶＤ−ＲＡＭ１００へのダビングを行う）装置である形態でもよい。例えば、映像記録装置が、ＨＤＤに予め映像情報が格納されたＨＤＤ搭載ＤＶＤレコーダ等である形態でもよい。
【００５５】
（Ｃ）本実施形態では、映像記憶装置がカムコーダ３である場合について説明したが、映像情報が格納され、ＤＶＤレコーダ１等の映像記録装置と通信可能に接続される装置であればよい。例えば、映像記録装置が、ＨＤＤ等の記録媒体を備えたＰＤＡ（Ｐｅｒｓｏｎａｌ  Ｄｉｇｉｔａｌ  Ａｓｓｉｓｔａｎｔｓ）等である形態でもよい。
【００５６】
（Ｄ）本実施形態では、操作受付部１１１が、リモコン２を介してユーザからの操作入力を受け付ける場合について説明したが、操作受付部１１１が、ＤＶＤレコーダ１の操作部を介してユーザからの操作入力を受け付ける形態でもよい。
【００５７】
（Ｅ）本実施形態では、コピー禁止信号がマクロビジョン信号である場合について説明したが、コピー禁止信号がＣＧＭＳ−Ａ（Ｃｏｐｙ  Ｇｅｎｅｒａｔｉｏｎ  Ｍａｎａｇｅｍｅｎｔ  Ｓｙｓｔｅｍ−Ａｎａｌｏｇ）に準拠した信号である形態でもよい。
【図面の簡単な説明】
【００５８】
【図１】は、本発明に係るＤＶＤレコーダの接続状態を示す構成図である。
【図２】は、ＤＶＤレコーダの構成の一例を示すブロック図である。
【図３】は、カムコーダの構成の一例を示すブロック図である。
【図４】は、本発明における主要部の機能構成の一例を示すブロック図である。
【図５】は、マイクロプロセッサの動作の一例を示すフローチャートである。
【図６】は、図５に示すフローチャートのステップＳ１０３においてディスプレイに表示されるダビング選択画面及びステップＳ１０７においてディスプレイに表示されるコピー禁止設定画面の一例を示す画面図である。
【符号の説明】
【００５９】
１    ＤＶＤレコーダ（映像記録装置）
１００    ＤＶＤ−ＲＡＭ（第２記録媒体）
１１    マイクロプロセッサ
１１１    操作受付部（操作受付手段の一部）
１１２    映像取得部（映像取得手段の一部）
１１３    禁止設定部（禁止設定手段の一部）
１１４    書込部（書込手段）
２    リモコン（操作受付手段の一部、禁止設定手段の一部）
３    カムコーダ（映像記憶装置）
３００    ＶＣＲ（第１記録媒体）
４    ディスプレイ（モニタ）
【図１】
2008210475.tif 000003
【図２】
2008210475.tif 000004
【図３】
2008210475.tif 000005
【図４】
2008210475.tif 000006
【図５】
2008210475.tif 000007
【図６】
2008210475.tif 000008